(57)【特許請求の範囲】
【請求項１】
尿試料中のクレアチニンの測定量を示すクレアチニン測定データを入力するクレアチニン情報取得部と、
前記尿試料中の細菌または円柱成分の測定量を示す細菌または円柱成分データを入力する有形成分情報取得部と、
前記細菌または円柱成分データで示される前記細菌または円柱成分の測定量を、前記クレアチニン測定データで示される前記クレアチニンの測定量を用いて補正する補正部とを備える、分析システム。
【請求項２】
前記補正部は、前記細菌または円柱成分の測定量を前記クレアチニン測定データで示される前記クレアチニンの測定量で割った値を基に、前記細菌または円柱成分の測定量の補正値を決定する、請求項１に記載の分析システム。
【請求項３】
前記補正部は、前記細菌または円柱成分の測定量の補正値を、記録部に蓄積し、
前記記録部に蓄積された過去の前記補正値の変位を出力する出力部をさらに備える、請求項１または２に記載の分析システム。
【請求項４】
前記補正部は、前記補正値と、補正前の前記細菌または円柱成分データとを対応付けて前記記録部に蓄積し、
前記記録部に蓄積される前記補正値及び補正前の前記細菌または円柱成分データの変動に異常がないか監視する監視部をさらに備え、
前記監視部が異常ありと判断した場合に、前記出力部は、警告を出力する、請求項３に記載の分析システム。
【請求項５】
前記監視部は、前記クレアチニン測定データの変動に異常がないかをさらに監視し、
前記出力部は、前記監視部が前記クレアチニン測定データの変動に異常ありと判断した場合、前記補正値とともに、警告を出力する、請求項３または４に記載の分析システム。
【請求項６】
前記尿試料中のクレアチニンを測定する第１の測定部と、
前記尿試料中の細菌または円柱成分を測定する第２の測定部とをさらに、備える、請求項１〜５のいずれか１項に記載の分析システム。
【請求項７】
コンピュータが、尿試料中のクレアチニンの測定量を示すクレアチニン測定データを入力するクレアチニン情報取得工程と、
コンピュータが、前記尿試料中の細菌または円柱成分の測定量を示す細菌または円柱成分データを入力する有形成分情報取得工程と、
コンピュータが、前記細菌または円柱成分データで示される前記細菌または円柱成分の測定量を、前記クレアチニン測定データで示される前記クレアチニンの測定量を用いて補正する補正工程とを含む、分析方法。
【請求項８】
尿試料中のクレアチニンの測定量を示すクレアチニン測定データを入力するクレアチニン情報取得処理と、
前記尿試料中の細菌または円柱成分の測定量を示す細菌または円柱成分データを入力する有形成分情報取得処理と、
前記細菌または円柱成分データで示される細菌または円柱成分の測定量を、前記クレアチニン測定データで示される前記クレアチニンの測定量を用いて補正する補正処理とをコンピュータに実行させる分析プログラム。
【発明の詳細な説明】
【技術分野】
【０００１】
本発明は、尿検査に関し、特に、尿中のクレアチニンと尿中有形成分の測定量を用いたデータ処理における尿中有形成分の測定量の補正に関する。
【背景技術】
【０００２】
従来、例えば、試験紙を用いられて行われる尿の生化学検査では、尿中の蛋白、アルブミン、コレステロール及びクレアチニン等の成分の濃度を得ることができる。ここで、尿中成分の濃度は尿量によって変動するが、クレアチニンは時間当たりの排泄量が一定している。そこで、測定されたクレアチニン濃度を基準にして他の尿中成分濃度を補正することが提案されている（例えば、特許文献１参照）。具体的には、アルブミン対クレアチニンの比を測定結果とすること（例えば、特許文献２参照）や、及びクレアチニン補正を行うことによって、マイクロ総蛋白質、マイクロアルブミンおよびマイクロコレステロールの１日あたりの排泄量推定値を取得すること（例えば、特許文献３参照）等が提案されている。
【先行技術文献】
【特許文献】
【０００３】
【特許文献１】特開平９−１７１０１５号公報（段落００２１、請求項６）
【特許文献２】特許第４２２６１１８号（段落００１１）
【特許文献３】特開２０１０−２３６８６３号公報（段落００４４〜００４６）
【発明の概要】
【発明が解決しようとする課題】
【０００４】
しかしながら、上記従来技術では、クレアチニンと同じ測定手段で得られる尿中成分の濃度を補正するのみで、クレアチニンとは異なる測定手段や測定方法で得られた尿中成分を、クレアチニンを用いて補正することの発想はなかった。
【０００５】
そこで、本発明は、異なる測定手段または測定方法で得られたデータを用いて、尿中成分の量について多面的な情報を得ることができる分析システム、分析方法又は分析プログラムを提供することを目的とする。
【課題を解決するための手段】
【０００６】
本発明の実施形態における分析システムは、尿試料中のクレアチニンの測定量を示すクレアチニン測定データを入力するクレアチニン情報取得部と、前記尿試料中の有形成分の測定量を示す有形成分データを入力する有形成分情報取得部と、前記有形成分データで示される前記有形成分の測定量を、前記クレアチニン測定データで示される前記クレアチニンの測定量を用いて補正する補正部とを備える。
【０００７】
本発明の実施形態では、測定手段や測定方法が互いに異なる、有形成分と、クレアチニンの測定量を、両方取得し、クレアチニンの測定量を用いて、有形成分の測定量を補正することができる。例えば、尿中の細菌や円柱等の有形成分の測定量は、採尿状況によって変動する場合がある。一方、クレアチニンの時間当たりの排泄量はほぼ一定である。そのため、有形成分の測定量をクレアチニンの測定量を用いて補正することで、例えば、採尿状態に起因する測定量の変動を補正することができる。これにより、尿中の有形成分について、採尿状況の違いによる測定量の変動を相殺した情報を得ることができる。そのため、尿中の有形成分の量についてより多面的な情報を得ることができる。
【発明の効果】
【０００８】
本発明の実施形態によれば、異なる測定手段または測定方法で得られたデータを用いて、尿中の有形成分の量についてより多面的な情報を得ることができる。
【図面の簡単な説明】
【０００９】
【図１】第１の実施形態における分析システムの構成例を示す機能ブロック図である。
【図２】分析システムの動作例を示すフローチャートである。
【図３】第２の実施形態にかかる分析システムの構成例を示す機能ブロック図である。
【図４】監視部の動作例を示すフローチャートである。
【図５】監視部の他の動作例を示すフローチャートである。
【図６】第３の実施形態における尿分析装置の外観図である。
【図７】尿分析装置の内部構成例を示す図である。
【発明を実施するための形態】
【００１０】
[第１の実施形態]
（分析システムの構成）
図１は、本発明の第１の実施形態における分析システムの構成例を示す機能ブロック図である。図１に示す例では、分析システム８０は、有形成分情報取得部８１、クレアチニン情報取得部８２、補正部８３及び出力部８４を備える。また、分析システム８０は、第１の測定部Ａ１及び第２の測定部Ａ２と接続され、これらの測定部の測定結果を示すデータまたは信号を受信できるように構成されている。第１の測定部Ａ１及び第２の測定部Ａ２は、同じ尿試料Ｂを測定するものであるが、測定方法及び測定対象成分が異なっている。このように、分析システム８０は、異なる測定方法で測定された尿試料中の成分について、それぞれ測定結果を取得し、双方の測定結果を用いて分析を行うものである。
【００１１】
本実施形態では、一例として、第１の測定部Ａ１が、尿定性検査により尿中のクレアチニン等の濃度を測定する測定器であり、第２の測定部Ａ２が、尿沈渣検査により、尿中の細菌及び円柱等の有形成分を測定する測定器である場合について説明する。尚、第１の測定部Ａ１及び第２の測定部Ａ２の組み合わせは、本実施形態のものに限られない。
【００１２】
第１の測定部Ａ１は、例えば、尿試験紙を用いたクレアチニンの測定を実施できるよう構成することができる。クレアチニンの他に、例えば、蛋白質、アルブミン、グルコース、ヘモグロビン及びビリルビン等を、第１の測定部Ａ１で測定してもよい。その場合の具体例として、第１の測定部Ａ１は、尿試料を分けて、尿試験紙の異なる試薬にそれぞれ供給する分注手段と、尿試料が注がれた各試薬に光を照射することによって生じる透過光または反射光を検出する光検出手段と、検出された光から尿試料中の成分を計算する演算手段とを備えることができる。
【００１３】
第２の測定部Ａ２は、例えば、液体尿測定により、尿中の有形成分を測定するよう構成することができる。細菌及び円柱の他に、例えば、白血球、赤血球、上皮細胞、及び結晶等を、第２の測定部Ａ２で測定してもよい。具体例として、第２の測定部Ａ２は、尿試料に染色液及び希釈液を混ぜて攪拌する手段と、フローサイトメトリーにより染色液と希釈液が混ぜられた尿試料に光を照射し、透過光又は散乱光の少なくともいずれかを検出する手段と、検出された光から尿試料中の成分を計算する手段とを備えることができる。
【００１４】
有形成分情報取得部８１及びクレアチニン情報取得部８２は、第１の測定部Ａ１及び第２の測定部Ａ２で測定されたクレアチニンや有形成分の情報を、分析システム８０で使用できる状態にするためのインタフェースとして機能する。有形成分情報取得部８１は、尿試料中の有形成分の測定量を示す有形成分データを入力する。クレアチニン情報取得部８
２は、その尿試料中のクレアチニンの測定量を示すクレアチニン測定データを入力する。
【００１５】
例えば、有形成分情報取得部８１は、第２の測定部Ａ２で測定された尿試料Ｂの有形成分に関するデータまたは信号を受信し、尿試料中の有形成分の測定量を示す有形成分データとして、分析システム８０の記録部８５に記録することができる。同様に、クレアチニン情報取得部８２は、第１の測定部Ａ１で測定された尿試料Ｂのクレアチニンに関するデータまたは信号を受信し、尿試料Ｂのクレアチニンの測定量を示すクレアチニン測定データとして記録部８５に記録することができる。
【００１６】
クレアチニン測定データが示すクレアチニンの測定量は、測定結果として得られる尿試料中に含まれるクレアチニンの量である。この測定量は、例えば、吸光度や反射率等のような測定により直接的に得られる検出量であってもよい。或いは、この測定量は、検出信号に基づいて得られる量、すなわち、検出信号を処理して間接的に得られた量（例えば濃度等）であってもよい。また、クレアチニン測定データの形式は特に限定されない。クレアチニン測定データは、例えば、尿中のクレアチニンの濃度を示す値であってもよいし、クレアチニンが試薬と反応して発した光の検出量を示す値であってもよい。
【００１７】
有形成分データが示す有形成分の測定量は、測定結果として得られる尿試料中の有形成分の量である。この測定量は、上記クレアチニンの場合と同様に、例えば、吸光度や反射率等のような測定により直接的に得られる検出量であってもよいし、検出信号を処理して間接的に得られた量（例えば単位量あたりの絶対数等）であってもよい。有形成分データの形式も特定のものに限定されない。例えば、細菌の量（例えば絶対数または濃度）を示す値、円柱の量を示す値、或いは、染色された細菌及び円柱それぞれからの光の検出量を示す値であってもよい。なお、その他の尿中の溶けていないあらゆる成分は有形成分として測定することができる。
【００１８】
有形成分データとして取得する有形成分の測定量として、例えば、円柱、赤血球、白血球、上皮細胞、病的結晶、真菌、原虫、寄生虫の少なくとも１つの測定量を含むことができる。また、真菌、原虫及び寄生虫は、細菌の一例であり、それぞれの測定量を独立して取得してもよいし、これらをまとめて細菌の測定量として取得することもできる。また、円柱のように濃縮により測定量が変動する成分や、細菌のように繁殖により測定量が変動する成分の測定量を、有形成分データとして取得することで、後述の補正による効果が特に有効となる。本実施形態では、一例として、細菌及び円柱の測定量を有形成分の測定量として取得する場合について説明するが、有形成分は、これらに限定されない。
【００１９】
補正部８３は、有形成分データで示される有形成分の測定量を、クレアチニン測定データが示すクレアチニンの測定量を用いて補正する。例えば、補正部８３は、有形成分の測定量を前記クレアチニンの測定量で割った値を基に、前記有形成分の測定量の補正値を決定することができる。
【００２０】
具体例として、補正部８３は、細菌及び円柱の濃度をクレアチニン濃度で除した値を補正値とすることができる。または、補正部８３は、細菌及び円柱の濃度とクレアチニン濃度との比を計算してもよいし、細菌数及び円柱数のクレアチニン比を補正値として計算することもできる。
【００２１】
これにより、有形成分の測定量をクレアチニンの測定量で規格化した情報を得ることができる。そのため、例えば、滞留時間による測定量の変動のような採尿状態による測定量の変動を除いた細菌や円柱の量を示す情報が得られる。
【００２２】
尿試験紙で測定できない成分であっても、濃縮や採尿の条件によって測定量が変動する成分がある。細菌や円柱がその一例である。例えば、早朝第１尿と随時尿では、尿の体内の滞留時間が異なる。滞留時間が異なると、細菌や円柱の測定量は変動する。上記の補正部８３の補正により、このような滞留時間による測定量の変動分を差し引いた情報を得ることができる。
【００２３】
出力部８４は、補正部８３により補正された測定量（補正値）を、表示装置８８へ出力する。表示装置８８は、分析システム８０が備えるディスプレイであってもよいし、分析システム８０に接続された外部のディスプレイであってもよい。また、出力部８４による出力先は、表示装置に限られず、プリンタ、スピーカその他あらゆる形態の出力装置が出力先となりうる。
【００２４】
尚、補正部８３が、有形成分の測定量の補正値を、記録部８５に蓄積し、出力部８４が、蓄積された過去の補正値の変位を出力する態様とすることができる。これにより、ユーザは、補正値の遷移を容易に確認することができる。補正部８３は、補正値を、有形成分データ、被験者の識別子、測定の時を示す情報（例えば、測定日時）等、その他必要なデータと対応付けて記録することができる。記録データの形式は特に限定されないが、例えば、関係データベースや、測定結果ファイル等の形式で補正値及び関連するデータを記録することができる。
【００２５】
例えば、補正部８３が、上記のように、細菌及び円柱の測定量から、滞留時間による変動分を除く補正をして、補正値を蓄積しておき、同じ被験者の補正値の履歴を表示することができる。この場合、さまざまな滞留時間で採尿された過去の細菌及び円柱の測定結果から、滞留時間による影響を取り除いた細菌及び円柱の量の履歴を表示することができる。そのため、ユーザは、細菌及び円柱量の遷移をより正確に把握することが可能になる。
【００２６】
（分析システム８０の動作例）
図２は、分析システム８０の動作例を示すフローチャートである。図２に示す例では、まず、クレアチニン情報取得部８２が、第１の測定部Ａ１で試験紙を用いて測定された尿試料Ｂの尿成分の測定結果を取得する（ステップＳ１）。この測定結果には、一例として、尿試料Ｂのクレアチニン濃度が含まれるものとする。クレアチニン濃度の測定値は、クレアチニン測定データとして、記録部８５に記録される。
【００２７】
有形成分情報取得部８１は、第２の測定部Ａ２で、液体尿測定により測定された試料Ｂに含まれる有形成分の測定結果を取得する（ステップＳ２）。この測定結果には、一例として、尿試料Ｂの単位量あたりの細菌数及び円柱数が含まれるものとする。細菌及び円柱の測定値は、有形成分データとして、記録部８５に記録される。
【００２８】
補正部８３は、ステップＳ１で取得されたクレアチニン濃度の測定値を用いて、ステップＳ２で取得された細菌及び円柱の測定値を補正する（ステップＳ３）。一例として、補正部８３は、単位量あたりの細菌の数／クレアチニン濃度、及び、単位量あたりの円柱の数／クレアチニン濃度のそれぞれを補正値として算出することができる。補正値は、補正前の有形成分データと対応付けて記録部８５に記録される。なお、除算により補正値を算出する際の除数としては、上記例の他、例えば、クレアチニンの反射率（試験紙の場合）、クレアチニンの吸光度（液状試薬による透過測定の場合）、クレアチニンの濃度より求めた補正値等を用いることができる。
【００２９】
出力部８４は、ステップＳ３で、補正部８３によって補正された補正値を、記録部８５から読み出して表示装置８８へ表示させる。このとき、補正値とともに、有形成分データやクレアチニン測定データも表示させてもよい。また、出力部８４は、記録部８５に蓄積された尿試料Ｂの被験者の過去の細菌及び円柱補正値の履歴を表示装置８８へ表示させてもよい。
【００３０】
上記動作例では、クレアチニン、細菌及び円柱のみについて説明したが、分析システム８０は、その他の成分の測定結果について表示することができる。例えば、第１の測定部Ａ１による尿定性検査の結果として、総蛋白質、アルブミン、マイクロコレステロール、総蛋白質／クレアチニン等をさらに表示することもできるし、第２の測定部Ａ２による尿中有形成分分析の結果として、白血球、赤血球、上皮細胞等をさらに表示することもできる。
【００３１】
尚、分析システム８０の動作は、図２に示す例に限られない。例えば、ステップＳ１とステップＳ２の処理は、逆の順序あるいは同時に実行されてもよい。
【００３２】
（実施形態の効果、その他）
上記実施形態によれば、ある測定装置（第１の測定部Ａ１）で測定したデータを、他の測定装置（第２の測定部Ａ２）で測定したデータの補正に用いることで、より多面的な情報が得られるようになる。また、採尿状況による測定値の変動を、クレアチニンを用いて補正できるので、より正確な診断が可能になる。さらに、補正値の履歴を表示することで、前回の測定値との比較も容易になり、病態の進行を推定することも容易になる。
【００３３】
尚、図１に示した分析システム８０の有形成分情報取得部８１、クレアチニン情報取得部８２、補正部８３及び出力部８４の機能部の機能は、プロセッサ及びメモリを備えたコンピュータが、メモリに記録された所定のプログラムに基づいて動作することにより実現することができる。記録部８５は、このようなコンピュータが備える記録媒体であってもよいし、コンピュータがアクセス可能な外部の記録媒体であってもよい。記録媒体は、コンピュータのプロセッサから高速にアクセスできる、プロセッサの処理時に一時的にデータを記録するフラッシュメモリ等のメモリであってもよいし、コンピュータの電源を落としても情報を保持できるＨＤＤ等の記録装置であってもよい。
【００３４】
分析システム８０は、測定装置に内蔵された組み込みコンピュータまたは測定装置に接続される専用のコンピュータで構成することもできるし、測定装置とは独立して設けられたＰＣやサーバのような汎用コンピュータで構成することも可能である。また、分析システム８０は、一台のコンピュータで構成されてもよいし、複数のコンピュータに機能を分散させて構成されてもよい。
【００３５】
コンピュータを、上記の有形成分情報取得部８１、クレアチニン情報取得部８２及び補正部８３を備える分析システムとして機能させるプログラム、およびそのようなプログラムを記録した記録媒体（信号そのもののような一過性の媒体は含まない、非一過性（non-transitory）の記録媒体）も本発明の一実施形態である。
【００３６】
分析システム８０の構成は、図１に示す例に限られない。例えば、第１の測定部Ａ１、第２の測定部Ａ２及び表示装置８８を含めて一体的に構成された装置を分析システム８０としてもよいし、記録部８５が分析システム８０の外部に設けられてもよい。
【００３７】
また、上記実施形態では、有形成分情報取得部８１及びクレアチニン情報取得部８２は、第１の測定部Ａ１及び第２の測定部Ａ２から測定結果を取得する形態であるが、情報取得の形態は、これに限定されない。例えば、外部の記録装置に記録された測定結果を示すデータを、ネットワークを介して取得し、分析システム８０で処理できるようにする形態であってもよいし、分析システム８０がアクセス可能な記録媒体に記録された測定結果を示すファイル等を読み込んで分析システム８０で処理可能な状態とする形態であってもよい。尚、上記変形例は、以降の第２、第３の実施形態にも適用できる。
【００３８】
［第２の実施形態］
図３は、第２の実施形態にかかる分析システム８０の構成例を示す機能ブロック図である。図３において、図１と同じ機能ブロックには同じ符号を付している。図３に示す分析システム８０は、監視部８６をさらに備える。
【００３９】
監視部８６は、有形成分情報取得部８１及びクレアチニン情報取得部８２によって記録部８５に記録された測定データ、及び補正部８３によって記録部８５に記録された有形成分の補正値の少なくともいずれかを監視し、異常がないか判定する。
【００４０】
例えば、監視部８６は、記録部８５に蓄積された同一被験者の尿試料における有形成分の補正前の測定量及び補正後の補正値を、過去Ｎ回分（Ｎは自然数）読み出して、読み出したデータを用いて異常か否かを判定することができる。具体的には、補正前の測定量と補正値それぞれの遷移状況（増加傾向か減少傾向か、あるいは、変化量）を比較し、双方の遷移状況を示す値の相違が予め決められた許容範囲外である場合に、異常と判定することができる。このように、補正前の有形成分の測定量の変動と補正後の補正値の変動との乖離度が許容範囲内か否かを判定することにより、測定環境の異常や被験者の健康状態の異常を検出することができる。
【００４１】
監視部８６は、１回の測定で得られた有形成分の測定量及びその補正値に基づいて、異常判定をしてもよい。例えば、補正前の測定量及び補正値それぞれについて、許容範囲内か否か、すなわち異常値か否かを判定し、両者の判定結果に基づいて、異常の有無を判定することができる。一例として、補正前の測定量を示すデータは異常値の閾値未満にも関わらず、補正後のデータで異常値の閾値を越えた場合、異常と判定することができる。この場合、測定環境の異常や被験者の健康状態の異常を検出することができる。
【００４２】
さらに、監視部８６は、クレアチニン測定データの異常判定をすることもできる。例えば、一定の期間内に測定されたクレアチニンの測定量の変動が許容範囲内か否かにより、クレアチニン値の異常を検出することができる。このクレアチニンの異常判定処理は、例えば、クレアチニンの測定結果が得られる度に実行することができる。これにより、クレアチニン測定が正常に行われた否かを確認することができる。
【００４３】
出力部８４は、監視部８６で異常と判断された場合、警告情報を表示装置８８に表示させる。
【００４４】
（動作例１）
図４は、監視部８６の動作例を示すフローチャートである。図４に示す例では、まず、監視部８６は、記録部８５から、過去Ｎ回分の有形成分の補正前の測定値と、補正後の補正値とを読み出す（ステップＳ１１）。一例として、細菌及び円柱の測定値と補正値が読み出される。
【００４５】
監視部８６は、過去Ｎ回分の補正前の測定値の変化と、補正値の変化とを比較する（ステップＳ１２）。監視部８６は、例えば、補正前の測定値及び補正値それぞれについて、過去Ｎ回において前回に比べて所定幅より増加している回数と、所定幅より減少している回数をカウントする。カウントされた増加回数が閾値より多い場合は増加傾向にあり、カウントされた減少回数が閾値より多い場合は減少傾向にあると判断することができる。し、増加傾向にあるか減少傾向にあるかを判断する。そして、例えば、補正前の測定値が減少傾向にあるにも関わらず、補正後の補正値が増加傾向にある場合は、異常と判断することができる（ステップＳ１２でＮＯ）。この場合、出力部８４は、補正値に異常が認められることを示すフラグと共に、要再検査に関する警告を、表示装置８８へ表示させる（ステップＳ２２）。これにより、ユーザに再検査を促すとともに、異常の原因が補正値であることを知らせることができる。
【００４６】
図４に示す処理は、監視部８６が、所定周期で定期的に実行、または、Ｎ回分のデータが蓄積される度に実行してもよい。または、監視部８６は、記録部８５に測定データが追加される度に実行してよいし、ユーザからの指示に基づき実行してもよい。
【００４７】
（動作例２）
図５は、監視部８６の他の動作例を示すフローチャートである。図５に示す例では、監視部８６は、今回測定された有形成分データである補正前の測定量を示すデータと、その補正値とを読み出す（ステップＳ２１）。
【００４８】
監視部８６は、補正前の測定値が異常値か否か、すなわち、許容範囲内にあるか否かを判定する（ステップＳ２２）。監視部８６は、例えば、細菌及び円柱それぞれの数が、正常な測定で得られる範囲を越えているか否かを判定する。監視部８６は、補正前の測定値が異常でない場合（ステップＳ２２でＮＯ）、補正後の補正値が異常値か否かを判定する（ステップＳ２３）。補正値が異常値である場合（ステップＳ２３でＹＥＳ）、監視部８６は、異常と判断し、出力部８４が、測定値に異常が認められることを示すフラグと共に、要再検査に関する警告を、表示装置８８へ表示させる（ステップＳ２４）。
【００４９】
図５に示す処理は、監視部８６が、測定データが追加される度に実行してもよいし、ユーザからの指示に基づき実行してもよい。また、監視部８６は、図４の処理及び図５の処理を両方実行するよう構成されてもよいし、いずれか一方を実行するよう構成されてもよい。
【００５０】
本実施形態によれば、補正前の測定量及び補正後の補正値の双方を監視するので、従来見過ごされてきた異常を検出することが可能になる。例えば、尿中クレアチニンは、室温保存で２〜３日は安定と言われているが、尿中の細菌は室温保存で時とともに増加する。そのため、細菌／クレアチニンの値（細菌クレアチニン比）を算出しその経時変化を監視することで、測定値のエラー（例えば、保存状態が悪いこと等）のような異常を検出することが可能になる。
【００５１】
［第３の実施形態］
第３の実施形態は、分析システムを含む尿分析装置の一形態である。
【００５２】
（概略構成）
図６及び図７は、本実施形態における尿分析装置の構成例を示す図である。図６は装置の外観図であり、図７は装置の内部構成を示す図である。
【００５３】
図６及び図７に示すように、本実施形態に係る尿分析装置Ａは、一つの筐体１内に収容された第１の測定部Ａ１及び第２の測定部Ａ２を備えている。第１の測定部Ａ１及び第２の測定部Ａ２は、分析対象となる検体に対してそれぞれ異なった分析処理を行う。ここでは、第１の測定部Ａ１において行なわれる分析処理を第１分析処理と称し、第２の測定部Ａ２において行なわれる分析処理を第２分析処理と称する。
【００５４】
具体的には、第１分析処理は尿定性検査であり、第２分析処理は尿沈渣検査である。尿定性検査では、尿に含まれるタンパク質、グルコース、ヘモグロビン及びビリルビン等の濃度、及び尿の比重等が測定される。尿沈渣検査では、血球、上皮細胞、細菌、及び結晶等の尿に含まれる有形成分が測定される。尚、第１の測定部Ａ１の具体的な構成としては、尿定性検査を行うことが可能などのような構成も適用することができる。また、第２の測定部Ａ２の具体的な構成としては、尿沈渣検査を行うことが可能などのような構成も適用することができる。このように、第１分析処理と第２分析処理とでは分析項目及び分析方法が異なる。
【００５５】
また、尿分析装置Ａは搬送装置２を備えている。搬送装置２は、検体（尿試料に相当）たる尿Ｂが収容されている複数のスピッツ３０を搬送するための装置である。搬送装置２は、複数のスピッツ３０を検体ラック３に起立保持させた状態で搬送する。搬送装置２は、筐体１の前面下部に連結されたフレーム２０、該フレーム２０の上面部２０ａに位置する３組の循環駆動可能なベルト２１ａ〜２１ｃ、および水平方向に移動可能な２つのプッシャ（図示略）を備えている。
【００５６】
搬送装置２においては、符号ｎ１で示すポジションに検体ラック３が供給されると、該検体ラック３が、ベルト２１ａによって矢印Ｎ１方向に搬送された後に、プッシャによって矢印Ｎ２方向に搬送される。次いで、検体ラック３は、ベルト２１ｃによって矢印Ｎ３方向に搬送された後に、プッシャによって矢印Ｎ４方向に搬送されてベルト２１ｂ上に供給される。
【００５７】
さらに、尿分析装置Ａは、搬送装置２によって搬送されたスピッツ３０から分析対象となる尿Ｂを採取するためのノズル４を備えている。ノズル４は、検体ラック３が矢印Ｎ２方向に搬送される際の搬送経路２９と重なる位置に配置されている。そして、ノズル４は、搬送経路２９上に存在する検体ラック３に保持されたスピッツ３０から尿Ｂを吸引する。これにより、ノズル４は、分析対象となる尿Ｂを採取する。
【００５８】
図６及び図７に示すように、本実施形態に係る尿分析装置Ａにおいては、尿試料を採取するためのノズルはノズル４のみである。つまり、第１の測定部Ａ１に供給される尿試料および第２の測定部Ａ２に供給される尿試料のいずれもノズル４によって採取される。このように、第１の測定部Ａ１及び第２の測定部Ａ２についてノズルを共通化することで、各測定部Ａ１、Ａ２へ尿試料を供給するための流路の一部や、ノズルを洗浄するための洗浄装置についても共通化を図ることができる。そのため、尿分析装置Ａ自体を小型化することができる。また、尿分析装置Ａの製造コストの削減も可能となる。
【００５９】
ここで、本実施形態に係る尿分析装置Ａの内部構成について図７に基づいて説明する。尿分析装置Ａの内部には、第１の測定部Ａ１および第２の測定部Ａ２の他に、ノズル用移動装置５、尿流路４１ａ、４１ｂ、４１ｃ、三方弁４２及び制御部６０が設けられている。
【００６０】
ノズル用移動装置５は、ノズル４が支持されているアーム５０を備えている。ノズル用移動装置５は、該アーム５０を介してノズル４を上下方向及び水平方向（図７の矢印の方向）に移動させる。
【００６１】
ノズル４には共通尿流路４１ａの一端が接続されている。共通尿流路４１ａの他端は三方弁４２に接続されている。三方弁４２には、第１および第２尿流路４１ｂ、４１ｃの一端が接続されている。三方弁４２は、ノズル４によって採取された尿Ｂを、共通尿流路４１ａから、第１尿流路４１ｂまたは第２尿流路４１ｃのいずれに流すのかを切り換えることが可能である。
【００６２】
そして、第１尿流路４１ｂの他端は第１の測定部Ａ１に接続されており、第２尿流路４１ｃの他端は第２の測定部Ａ２に接続されている。つまり、ノズル４によって採取された尿Ｂが、共通尿流路４１ａおよび第１尿流路４１ｂを通して第１の測定部Ａ１に供給され、共通尿流路４１ａおよび第２尿流路４１ｃを通して第２の測定部Ａ２に供給される。
【００６３】
制御部６０は、不図示のＣＰＵ及びメモリ等を備えたコンピュータである。制御部６０には、第１の測定部Ａ１、第２の測定部Ａ２、ノズル用移動装置５、および三方弁４２等
が電気的に接続されている。制御部６０は、各分析部Ａ１、Ａ２での分析結果についてのデータ処理を行い、且つ上記各部（または装置）の動作を制御する。制御部６０は、図１に示した分析システム８０の機能、すなわち、有形成分情報取得部８１、クレアチニン情報取得部８２、補正部８３、出力部８４及び記録部８５を含むことができる。このように本実施例では、一つの制御部６０によって、尿分析装置Ａ全体が制御される。
【００６４】
尚、図７に示すように、スピッツ３０には、バーコード等の識別コード３１が付されている。尿分析装置Ａは、この識別コード３１を読み取るための読み取り部６２を備えている。該読み取り部６２も制御部６０に電気的に接続されており、読み取り部６２によって読み取られた識別データが制御部６０に入力される。そして、該入力された識別データが、各測定部Ａ１、Ａ２での尿Ｂについての分析結果のデータと関連付けられる参照データとして利用される。
【００６５】
また、図示を省略したが、尿分析装置Ａ内には、ノズル４内を洗浄するための洗浄装置が設けられている。該洗浄装置は、洗浄液を貯留する洗浄液槽、洗浄液槽からノズル４内に洗浄液を供給する供給装置、ノズル４の洗浄後に該ノズル４から吐出される廃液を収容する廃液槽を備えている。尿分析装置Ａでは、ノズル４によって１つの検体を採取し、その検体を各測定部Ａ１、Ａ２に供給してから、次の分析対象となる検体を採取する前に、洗浄装置によってノズル４が洗浄される。
【００６６】
以上のように、第１の測定部Ａ１、第２の測定部Ａ２及び分析システム８０を一体として、尿分析装置Ａとして構成することができる。上記尿分析装置Ａは、尿試料を第１の測定部Ａ１及び第２の測定部Ａ２にそれぞれ搬送するための搬送手段と、尿試料を各測定部Ａ１、Ａ２にそれぞれ供給するノズルや流路（供給手段）をさらに備えている。
【００６７】
尚、尿分析装置Ａの構成は、図６及び図７に示す例に限られない。尿分析装置Ａは、例えば、第１の測定部Ａ１による第１分析処理よりも短時間で分析結果を導出する短時間分析部と、短時間分析部の分析結果に基づいて第２の測定部Ａ２による第２分析処理を実行するか否かを判別する判別部をさらに備えてもよい。
【産業上の利用可能性】
【００６８】
本発明は、例えば、尿検査機器等の分野において、利用または使用することが可能である。
【符号の説明】
【００６９】
Ａ      尿分析装置
Ａ１    第１の測定部
Ａ２    第２の測定部
２      搬送装置
３      検体ラック
４      ノズル
３０    スピッツ
４１ａ  共通尿流路
４１ｂ  第１尿流路
４１ｃ  第２尿流路
６０    制御部
８０    分析システム
８１    有形成分情報取得部
８２    クレアチニン情報取得部
８３    補正部
８４    出力部
８５    記録部
８６    監視部
【図１】
0005778617.tif 000002
【図２】
0005778617.tif 000003
【図３】
0005778617.tif 000004
【図４】
0005778617.tif 000005
【図５】
0005778617.tif 000006
【図６】
0005778617.tif 000007
【図７】
0005778617.tif 000008